(57)【要約】【課題】複数のユーザ同士、及び複数種類の端末同士で、アップロードされたファイルを互いに共有する。【解決手段】通信端末からアップロードされた情報を格納すると共に、格納された情報を通信端末に対してダウンロードするクラウドであって、通信端末のユーザの夫々に対応し、ユーザの夫々からアップロードされる個人ファイルが格納される個人フォルダと、所定の組織に所属する構成員よって共有され、構成員の夫々からアップロードされる組織ファイルが格納される共有フォルダと、個人フォルダと共有フォルダとの間で、個人ファイルと組織ファイルとの共有化を図る共有化手段と、を含む。【選択図】図１
2013235335.tif 000002
【特許請求の範囲】
【請求項１】
情報通信端末からアップロードされた情報を格納すると共に、前記格納された情報を前記情報通信端末に対してダウンロードするクラウドであって、
前記情報通信端末のユーザの夫々に対応し、前記ユーザの夫々からアップロードされる個人ファイルが格納される個人フォルダと、
所定の組織に所属する構成員よって共有され、前記構成員の夫々からアップロードされる組織ファイルが格納される共有フォルダと、
前記個人フォルダと前記共有フォルダとの間で、前記個人ファイルと前記組織ファイルとの共有化を図る共有化手段と、
を含むことを特徴とするクラウド。
【請求項２】
前記共有化手段は、前記個人フォルダに格納された個人ファイルの一部又は全部を、所定の条件を付加して、前記共有フォルダに複製することを特徴とする請求項１に記載のクラウド。
【請求項３】
前記所定の条件は、前記複製された個人ファイルに対するアクセス条件であることを特徴とする請求項２に記載のクラウド。
【請求項４】
前記複製された個人ファイルに対するアクセス条件を、前記複製された個人ファイルの種類毎に異ならせることを特徴とする請求項３に記載のクラウド。
【請求項５】
前記情報通信端末は、パーソナルコンピュータ、タブレット端末、スマートフォンのうちの何れか１つを少なくとも含むよう構成され、前記情報通信端末の如何なる種類の端末からも前記個人フォルダ、及び前記共有フォルダに対してアクセス可能であることを特徴とする請求項１から４の何れか１項に記載のクラウド。
【発明の詳細な説明】
【技術分野】
【０００１】
本発明は、クラウドに関する。
【背景技術】
【０００２】
２０１１年度の国内におけるスマートフォンの出荷台数は、前年度比２５０．５％の２１３１万台と予測されている。既に、国内外メーカの大半がスマートフォン市場に参入していることに加え、通信事業者はスマートフォンを主力商品と位置付けており、２０１１年度に出荷される移動体通信端末の過半数がスマートフォンとなる見通しである。
【０００３】
その中でも、スマートフォンの法人加入者は、２０１１年中に前年の約２倍となる１３４万人に拡大し、２０１５年には５５４万人に達する見通しである。さらに、２０１１年に発生した東日本大震災の影響で、企業が事業継続性や災害対策についての戦略を見直し、社員が様々な場所から社内ネットワーク等に接続して業務を行えるビジネスモビリティが重視されるようになった。
【０００４】
一方、個人向けクラウドサービスは、Ｇｏｏｇｌｅ（登録商標）、Ｗｉｎｄｏｗｓ  Ｌｉｖｅ（登録商標）、Ｅｖｅｒｎｏｔｅ（登録商標）、Ｄｒｏｐｂｏｘ（登録商標）が高い利用シェアを占めている。これらの個人向けのサービスを企業でも活用したいという要求が社員から上がってきているが、これらの個人向けサービスは、セキュリティ面が弱いので、企業がクラウドサービスを導入することにつき躊躇しているという背景がある。
【０００５】
そこで、企業が支給するスマートフォン等のデバイスと、社員の個人所有物である通信端末とを活用する検討も開始され、その結果、スマートフォン需要は法人向けにシフトし、クラウドサービスも企業向けが求められるようになってきている。そして、企業向けである以上、セキュリティ機能が強固なクラウドサービスが展開されつつある。
【０００６】
ここで、クラウドサービス及びクライアントの認証について説明する。近年、パーソナルコンピュータ（ＰＣ）、携帯端末、タブレット端末等のユーザが使用する端末からインターネット等の広域ネットワーク上のサーバにアクセスし、サーバ上で情報処理を実行することで各種のサービスを受けられるクラウドサービスと呼ばれるサービスが普及している。
【０００７】
クラウドサービスを利用することで、従来ユーザ側の端末にアプリケーションをインストールして実行されていた情報処理をサーバが代行するため、ユーザは自身の端末のリソースの消費を抑えて種々のサービスを利用することが出来る。
【０００８】
また、インターネットのような広域ネットワークにおいて提供されるクラウドサービスをパブリッククラウドと呼ぶこともあるが、パブリッククラウドを提供することで、インターネットに接続できるより多くのユーザにサービスを提供することが可能となる。
【０００９】
ここで、インターネットを用いたオンラインストレージサービスとして、Ａｍａｚｏｎ．ｃｏｍが開発者向けに提供しているＡｍａｚｏｎ（登録商標）  Ｗｅｂ  Ｓｅｒｖｉｃｅｓの１つであるＡｍａｚｏｎ  Ｓ３（Simple Storage Service）を一例として挙げることができる。
【００１０】
Ａｍａｚｏｎ  Ｓ３は、Ａｍａｚｏｎ．ｃｏｍと契約を結んだ所定の識別子を持った個人ユーザ（クラウドサービスの利用者）がファイルサーバにアクセスし、ファイルサーバに対してデータの保存及び転送を行うことにより、その保存されたデータ量及びデータ転送量に基づいて、利用料金を支払うクラウドサービスである。
【先行技術文献】
【特許文献】
【００１１】
【特許文献１】特開２０１１−０７６５０４号公報
【発明の概要】
【発明が解決しようとする課題】
【００１２】
このような背景の下、企業の社員が、顧客先や外出先、又は在宅で勤務する等といったテレワークに対応するクラウドサービスを考えたとき、ある組織に所属する構成員同士で共有化されるべきクラウドにおける共有ファイル（データ）の格納方法、当該構成員の個人所有物である様々な種類の通信端末（パーソナルコンピュータ、タブレット端末、スマートフォン等）、及び通信端末に搭載されている様々なＯＳ（Operating System）を問わず、社員個人によって取得された様々な個人ファイル（データ）と、上記共有ファイルとの間の連携をどのようにするのかが課題となっていた。
【００１３】
また、上記述べたＡｍａｚｏｎ  Ｓ３のクラウドサービスでは、そもそもある組織に所属する構成員同士でファイル（データ）を共有するという設計思想がないため、ファイルサーバと契約した個人との間の１対１によるデータの保存と転送を行うことは可能であるが、クラウド上で、個人ファイル（データ）と共有ファイル（データ）とを互いに連携させるためには、Ａｍａｚｏｎ．ｃｏｍと既に契約を結んだ個人が、新たに別のユーザとしてＡｍａｚｏｎ．ｃｏｍと契約を結び、２つのユーザアカウント同士でファイル（データ）を共有するしか方法がないという問題があった。
【００１４】
そこで、本発明は、上記従来の問題点に鑑みてなされたもので、複数のユーザ同士、及び複数種類の端末同士で、アップロードされたファイル（データ）を互いに共有可能なクラウドを提供することを目的とする。
【課題を解決するための手段】
【００１５】
上記課題を解決するため、請求項１に記載の本発明におけるクラウドは、通信端末からアップロードされた情報を格納すると共に、前記格納された情報を前記通信端末に対してダウンロードするクラウドであって、前記通信端末のユーザの夫々に対応し、前記ユーザの夫々からアップロードされる個人ファイルが格納される個人フォルダと、所定の組織に所属する構成員よって共有され、前記構成員の夫々からアップロードされる組織ファイルが格納される共有フォルダと、前記個人フォルダと前記共有フォルダとの間で、前記個人ファイルと前記組織ファイルとの共有化を図る共有化手段と、を含むことを特徴とする。
【００１６】
また、請求項２に記載のクラウドは、請求項１に記載のクラウドにおいて、前記共有化手段は、前記個人フォルダに格納された個人ファイルの一部又は全部を、所定の条件を付加して、前記共有フォルダに複製することを特徴とする。
【００１７】
さらに、請求項３に記載のクラウドは、請求項２に記載のクラウドにおいて、前記所定の条件は、前記複製された個人ファイルに対するアクセス条件であることを特徴とする。
【００１８】
また、請求項４に記載のクラウドは、請求項３に記載のクラウドにおいて、前記複製された個人ファイルに対するアクセス条件を、前記複製された個人ファイルの種類毎に異ならせることを特徴とする。
【００１９】
そして、請求項５に記載のクラウドは、請求項１から４の何れか１項に記載のクラウドにおいて、前記情報通信端末は、パーソナルコンピュータ、タブレット端末、スマートフォンのうちの何れか１つを少なくとも含むよう構成され、前記情報通信端末の如何なる種類の端末からも前記個人フォルダ、及び前記共有フォルダに対してアクセス可能であることを特徴とする。
【発明の効果】
【００２０】
本発明によれば、複数のユーザ同士、及び複数種類の端末同士で、柔軟にファイル（データ）の共有化を図ることが可能なクラウドを得ることができる。
【図面の簡単な説明】
【００２１】
【図１】本発明の実施形態におけるクラウドの構成を示す概略図である。
【図２】本発明の実施形態におけるクラウドの管理コンソールシステムの管理画面について説明する図である。
【図３】本発明の実施形態におけるクラウドに接続される通信端末のクラウド上で管理することができるフォルダ名が表示された画面について説明する図である。
【図４】本発明の実施形態におけるクラウドに接続される通信端末のクラウド上で管理することができる（ａ）マイフォルダが表示された画面、（ｂ）マイフォルダのファイルリストが表示された画面、について説明する図である。
【図５】本発明の実施形態におけるクラウドに接続される通信端末のクラウド上で管理することができる（ａ）共有フォルダが表示された画面、（ｂ）共有フォルダのファイルリストが表示された画面、について説明する図である。
【図６】本発明の実施形態におけるクラウドに接続され通信端末のクラウド上で管理することができるマイフォルダ内のファイルをコピーするときの（ａ）コピー対象のファイルが選択された画面、（ｂ）ファイルをコピーする動作を選択する画面、について説明する図である。
【図７】本発明の実施形態におけるクラウドに接続され通信端末のクラウド上で管理することができる共有フォルダ内のファイルをコピーするときの（ａ）コピー対象のファイルが選択された画面、（ｂ）ファイルをコピーする動作を選択する画面、について説明する図である。
【図８】本発明の実施形態におけるクラウドに接続され通信端末のクラウド上で管理することができるマイフォルダ内にファイルをペーストするときの（ａ）ペースト対象のフォルダが選択された画面、（ｂ）ファイルをペーストする動作を選択する画面、（ｃ）ペーストが完了した画面、について説明する図である。
【図９】本発明の実施形態におけるクラウドに接続され通信端末のクラウド上で管理することができる共有フォルダ内にファイルをペーストするときの（ａ）ペースト対象のフォルダが選択された画面、（ｂ）ペースト先のフォルダが編集可能なフォルダである場合にファイルをペーストする条件を選択する画面、について説明する図である。
【図１０】本発明の実施形態におけるクラウドに接続され通信端末のクラウド上で管理することができる共有フォルダ内にマイフォルダ内のファイルをペーストするときの（ａ）ペースト対象のフォルダ及びペースト対象のファイルが選択された画面、（ｂ）ファイルをペーストする条件を選択する画面、（ｃ）ペースト先のフォルダが編集を禁止しているフォルダであるため上書きできない旨を報知する画面、について説明する図である。
【発明を実施するための形態】
【００２２】
次に、本発明を実施するための形態について図面を参照して詳細に説明する。なお、各図中、同一又は相当する部分には同一の符号を付しており、その重複説明は適宜に簡略化乃至省略する。
【００２３】
最初に、本発明の実施形態に係るクラウドについて説明する。本発明の実施形態に係るクラウドを構成する前提となるクラウドサービスは、スマートフォンに代表されるスマートデバイスと企業専用プライベートクラウドとをオンラインで繋ぎ、外出先でのビジネスシーンを大きく変えるものである。
【００２４】
昨今、パーソナルコンピュータ（ＰＣ）、携帯端末、タブレット端末等のユーザが使用する端末からインターネット等の広域ネットワーク上のサーバにアクセスし、サーバ上で情報処理を実行することで各種のサービスを受けられるクラウドサービスと呼ばれるサービスが普及している。
【００２５】
クラウドサービスを利用することにより、従来ユーザ側の端末にアプリケーションをインストールし実行していた情報処理をサーバ側が代行して実行するため、ユーザは自身の端末のリソースの消費を抑えて種々のサービスを利用することが出来る。
【００２６】
また、インターネットのような広域ネットワークにおいて提供されるクラウドサービスをパブリッククラウドと呼ぶこともあるが、パブリッククラウドを提供することで、インターネットに接続できるより多くのユーザにサービスを提供することが可能となる。
【００２７】
このクラウドサービスを利用することにより、クラウドサービスに対応する専用のアプリケーションソフトウェアがインストールされたパーソナルコンピュータ（ＰＣ）からリアルタイムにアップロードされ、外出先で突然必要となったファイルデータ（文書、画像等）をスマートデバイスを用いて閲覧し、内勤の社員と連携してファイルデータを顧客へ送付することができる。
【００２８】
また、グループ別電話帳にアクセスし、顧客連絡先をチェックし、電話やメールで連絡を取ることができる。さらに、地図表示機能を用いて訪問先を確認し、現場の状況（写真／動画）をカメラで撮影し、そのファイル自体をクラウドにアップロードすることにより、リアルタイムでファイルの中身を共有することができる。例えば、会議の内容、顧客の生の声、及び通話内容を録音し、社内で共有することもできる。メモ機能を使用して、備忘録や報告事項をリアルタイムで共有することも可能である。
【００２９】
さらに、ライフログ機能で、スケジュール管理と、クラウドとの全てのデータのやり取り、通話履歴等を時系列で検索し、クラウドサービスに対応する専用のアプリケーションソフトウェアがインストールされたスマートデバイスを用いて、報告書に反映することができる。これにより、企業がスマートデバイスを社員に貸与し、現場と直結したビジネスの促進が可能となる。
【００３０】
そして、スマートデバイスがクラウドサービスを抜けると、スマートデバイス上のデータはスマートデバイスから全て消去（いわゆるローカルワイプ）され、プライベートクラウドから入手したデータ、現場でキャプチャーしたデータ等は、スマートデバイス内に一切残さないといった、モビリティ型シンクライアントである。
【００３１】
図１は、本発明の実施形態におけるクラウドの構成を示す概略図である。図１を参照すると、本発明の実施形態における企業専用プライベートクラウド１００は、パーソナルコンピュータ（ＰＣ）１０８、タブレット端末１０９、及びスマートフォン１１０等の通信端末を使用する複数のユーザが所有するファイル（データ）１１１がアップロードされ、当該複数のユーザ毎に区分して格納する個人フォルダ１０１（図１には、個人フォルダ１０１は１つのみ記載されているが、通信端末を使用するユーザが複数存在する場合には、ユーザ毎に夫々異なる複数の個人フォルダ１０１が存在しても良い。）と、Ａグループ１０５、Ｂグループ１０６といった組織に所属する人々よって夫々共有され、組織に所属する夫々の人々が所有するファイル（データ）１１１がアップロードされ、当該組織毎に区分して格納する共有フォルダ（Ａグループ）１０２、共有フォルダ（Ｂグループ）１０３と、ファイルサーバ１０７に格納されたファイル（データ）がアップロードされ、Ａグループ１０５の人々、及びＢグループ１０６の人々によって共有されるファイル（データ）１１１を格納するファイルサーバ連携フォルダ１０４と、を含んで構成されている。
【００３２】
そして、パーソナルコンピュータ（ＰＣ）１０８には、企業専用プライベートクラウド１００のクラウドサービスに対応するＷｉｎｄｏｗｓ（登録商標）ＯＳ用アプリケーションソフトウェアが予めインストールされている。同様に、タブレット端末１０９及びスマートフォン１１０には、企業専用プライベートクラウド１００のクラウドサービスに対応するｉＰｏｎｅ（登録商標）ＯＳ用アプリケーションソフトウェア、又はＡｎｄｒｏｉｄ  ＯＳ用アプリケーションソフトウェアがそれぞれ予めインストールされている。
【００３３】
個人フォルダ１０１には、パーソナルコンピュータ（ＰＣ）１０８、タブレット端末１０９及びスマートフォン１１０からアップロードされた様々なデータが格納され、パーソナルコンピュータ（ＰＣ）１０８、タブレット端末１０９、及びスマートフォン１１０同士で共有される。
【００３４】
このように、スマートデバイスに専用のアプリケーションソフトウェアをインストールするだけで、非常に簡単に企業専用プライベートクラウド１００と連携することができる。例えば、スマートデバイス用アプリケーションソフトウェアを個人所有物のスマートデバイスにインストールするだけで、企業専用プライベートクラウド１００とデータ連携できる環境が即時に構築できるのである（いわゆる私物解禁（ＢＹＯＤ：（Bring Your Own Device））。
【００３５】
なお、セキュリティ対応として、企業専用プライベートクラウド１００の図示しないＩＴ管理者が、後述する管理コンソールを用いて、企業専用プライベートクラウド１００とスマートデバイスとの切断を行うことができるので、スマートデバイスの盗難・紛失時にも対応することができる。さらに、スマートデバイス側にファイルを残さないいわゆるローカルワイプ機能と、図示しない認証サーバによるデバイス認証も行われる。
【００３６】
次に、共有フォルダ（Ａグループ）１０２に対するアクセス権限を有するＡグループ１０５の人々、共有フォルダ（Ｂグループ）１０３に対するアクセス権限を有するＢグループ１０６の人々を夫々管理する管理コンソールについて説明する。図２は、本発明の実施形態におけるクラウドの管理コンソールシステムの管理画面について説明する図である。
【００３７】
管理コンソール２００は、共有フォルダ１０２、１０３、ファイルサーバ連携フォルダ１０４を含む図示しないストレージサーバと、当該ストレージサーバに対するアクセスを認証する図示しない認証サーバとの間に配置され、ストレージサーバにおける記憶容量の確保と、認証サーバにおけるユーザの認証とを夫々管理するものである。
【００３８】
図２において、管理コンソール２００の画面には、割当済ユーザ２０１と未割当ユーザ２０２とが表示されている。例えば、共有フォルダ（Ａグループ）１０２に対するアクセス権限を有するユーザとして、Ａグループ１０５の人々が割当済ユーザ２０１として表示されており、共有フォルダ（Ａグループ）１０２に対するアクセス権限を有しないユーザとして、Ｂグループ１０６の人々が未割当ユーザ２０２として表示されている。
【００３９】
そして、例えば、人事異動等によりＡグループ１０５に所属するある特定の人物がＢグループに移ったときには、Ａグループの管理コンソール２００の割当済ユーザ２０１の中からその特定の人物を管理ユーザ指定２０３を用いることにより未割当ユーザ２０２に移動させ、Ｂグループの管理コンソール２００の未割当ユーザ２０２の中からその特定の人物を管理ユーザ指定２０３を用いることにより割当済ユーザ２０１に移動させることにより、簡単にアクセス権限の変更を行うことができる。
【００４０】
次に、本発明の実施形態におけるクラウドに存在する個人フォルダと共有フォルダとの間のファイルの共有について図３から図１０を用いて説明する。図３は、本発明の実施形態におけるクラウドに接続される通信端末のクラウド上で管理することができるフォルダ名が表示された画面について説明する図である。なお、以下の説明では、スマートフォン１１０の表示画面を中心として説明を行っていくが、タブレット端末１０９、及びパーソナルコンピュータ１０８においても、同様の画面表示がなされることはいうまでもないことである。
【００４１】
図３において、例えば、図１のＡグループ１０５に所属する甲さんの所有する通信端末の中の１つであるスマートフォン１１０は、個人フォルダ（マイフォルダ）１０１及び共有フォルダ（Ａグループ）１０２に対するアクセス権限が、上述した管理コンソール２００により与えられているものとする。すると、スマートフォン１１０の共有ファイルリスト画面には、甲さん個人のファイルが格納される個人フォルダ（マイフォルダ）１０１と、図示しない管理者によって作成された部署（ここではＡグループ）単位のファイルが格納される共有フォルダ１０２とが夫々表示される。
【００４２】
なお、個人フォルダ（マイフォルダ）１０１には、甲さんによって新規に作成されたアルバム、テキストメモ、録音等のファイルが自動的にアップロードされ、また、甲さんが所有し、個人フォルダ（マイフォルダ）１０１に対するアクセス権限が与えられているパーソナルコンピュータ１０８やタブレット端末１０９によって作成されたファイルもアップロードされている。
【００４３】
図４は、本発明の実施形態におけるクラウドに接続される通信端末のクラウド上で管理することができる（ａ）マイフォルダが表示された画面、（ｂ）マイフォルダのファイルリストが表示された画面、について説明する図である。
【００４４】
図４（ａ）において、マイフォルダ１０１は、１つ上の階層のフォルダへ遷移することを示すフォルダ４００と、アップロードされたデータが、バックアップフォルダとして設定されたローカルＰＣ名別に格納されることを示すフォルダ４０１と、作成されたテキストメモが日付別に格納されるフォルダ４０２と、撮影及び画像取り込みによって取り込まれた動画像が日付別に格納されるフォルダ４０３と、録音された音声ファイルが日付別に格納されるフォルダ４０４と、任意に作成されたフォルダ４０５とから構成される。
【００４５】
そして、図４（ｂ）に示すように、マイフォルダ１０１の下位層のフォルダである現在のフォルダのパス（マイフォルダ／ｔｅｓｔ）を表示するフォルダパス４０６と、５つのファイルのうちの複数のファイルをコピーする場合にチェックするチェックボックス４０７と、画面上に表示されるファイル名のページ指定／ページ遷移を有効にするためのページ操作４０８と、チェックボックス４０７のすべてをオン／オフするためのチェックボックス操作４０９と、チェックボックス４０７にチェックしたファイルをコピーするためのコピーボタン４１０と、メイン画面へ戻るための戻るボタン４１１とから構成される。
【００４６】
図５は、本発明の実施形態におけるクラウドに接続される通信端末のクラウド上で管理することができる（ａ）共有フォルダが表示された画面、（ｂ）共有フォルダのファイルリストが表示された画面、について説明する図である。
【００４７】
図５（ａ）において、共有フォルダ１０２は、図示しない管理者によって作成され、部署名で部署単位に表示されるフォルダであって、ユーザである甲さんが所属する部署（Ａグループ１０５）のフォルダである部署フォルダ５００から構成される。
【００４８】
そして、図５（ｂ）に示すように、共有フォルダ（Ａグループ）１０２の下位層のフォルダである現在のフォルダパス（共有フォルダ／システム部）を表示するフォルダパス５０１と、３つのファイルのうち複数のファイルをコピーする場合にチェックするチェックボックス５０２と、画面上に表示されるファイル名のページ指定／ページ遷移を有効にするためのページ操作５０３と、チェックボックス５０２のすべてをオン／オフするためのチェックボックス操作５０４と、チェックボックス５０２にチェックしたファイルをコピーするためのコピーボタン５０５と、メイン画面へ戻るための戻るボタン５０６と、ファイルの権限を表すファイル権限５０７とから構成される。
【００４９】
ここで、ファイル権限５０７に関して説明する。図５（ｂ）に示したファイル権限５０７の表示のうち、二重丸印は、自分がアップロードしたファイルであって、そのファイルに対する他のユーザからのすべての操作（編集、読み出し）が可能であることを示す。三角印は、他のユーザが作成したファイルであって、且つ、そのファイルに対する作成者以外のユーザからのすべての操作（編集、読み出し）が可能であることを示す。黒丸印は、他のユーザが作成したファイルであって、且つ、そのファイルに対する作成者以外のユーザからの読み出し操作が可能である（編集操作はできない。）ことを夫々表している。
【００５０】
次に、マイフォルダ内に格納されているファイルをコピーする手順について図６を用いて説明する。図６は、本発明の実施形態におけるクラウドに接続され通信端末のクラウド上で管理することができるマイフォルダ内のファイルをコピーするときの（ａ）コピー対象のファイルが選択された画面、（ｂ）ファイルをコピーする動作を選択する画面、について説明する図である。
【００５１】
図６（ａ）において、コピー対象のファイル名（ここでは、マイフォルダ／ｐｅｒｓｏｎａｌのフォルダの中の１ＭＢ−コピー．ｔｘｔというファイル）を長押しすると図６（ｂ）の画面に遷移するので、そこでコピーメニュー６００を選択する。また、チェックボックス４０７にチェックを入れ、画面下部のコピーボタン４１０を押下しても、同様にコピー可能である。複数ファイルをコピーする場合には、複数のファイルのチェックボックス４０７にチェックを入れて、画面下部のコピーボタン４１０を押下する。コピーが完了すると、図示しないメニュー画面にペースト表示がなされる。
【００５２】
次に、共有フォルダ内に格納されているファイルをコピーする手順について図７を用いて説明する。図７は、本発明の実施形態におけるクラウドに接続され通信端末のクラウド上で管理することができる共有フォルダ内のファイルをコピーするときの（ａ）コピー対象のファイルが選択された画面、（ｂ）ファイルをコピーする動作を選択する画面、について説明する図である。
【００５３】
図７（ａ）において、コピー対象のファイル名（ここでは、共有フォルダ／ａｌｐｈａのフォルダの中の０９０８１２ｗｉｎｄｏｗｓ７．ｊｐｇというファイル）を長押しすると図７（ｂ）の画面に遷移するので、そこでコピーメニュー７００を選択する。また、チェックボックス５０２にチェックを入れ、画面下部のコピーボタン５０５を押下しても、同様にコピー可能である。複数ファイルをコピーする場合には、複数のファイルのチェックボックス５０２にチェックを入れて、画面下部のコピーボタン５０５を押下する。コピーが完了すると、図示しないメニュー画面にペースト表示がなされる。
【００５４】
次に、コピーされたファイルをマイフォルダ内の任意のフォルダにペーストする手順について図８を用いて説明する。図８は、本発明の実施形態におけるクラウドに接続され通信端末のクラウド上で管理することができるマイフォルダ内にファイルをペーストするときの（ａ）ペースト対象のフォルダが選択された画面、（ｂ）ファイルをペーストする動作を選択する画面、（ｃ）ペーストが完了した画面、について説明する図である。
【００５５】
図６においてコピーがなされた後、図８（ａ）に示すようにマイフォルダ１０１の中の任意のフォルダ（ここでは、マイフォルダ／ｏｔｈｅｒ）に遷移し、画面下部のメニューの中からペーストボタン８００を押下する。そうすると、図８（ｂ）に画面が遷移するので、ペースト確認画面８０１の中からペーストボタン８０２を押下する。ペーストが完了すると、図８（ｃ）に示すように、マイフォルダ／ｏｔｈｅｒのフォルダの中に、図６でコピーした、１ＭＢ−コピー．ｔｘｔ  ８０３というファイルがペーストされる。
【００５６】
次に、コピーされたファイルを共有フォルダ内の任意のフォルダにペースとする手順について図９を用いて説明する。図９は、本発明の実施形態におけるクラウドに接続され通信端末のクラウド上で管理することができる共有フォルダ内にファイルをペーストするときの（ａ）ペースト対象のフォルダが選択された画面、（ｂ）ペースト先のフォルダが編集可能なフォルダである場合にファイルをペーストする条件を選択する画面、について説明する図である。
【００５７】
図６において、１ＭＢ−コピー．ｔｘｔというファイルがコピーされた後、図９（ａ）に示すように共有フォルダの中の任意のフォルダ（ここでは、共有フォルダ／ｓｈａｒｅ）に遷移し、画面下部のメニューの中からペーストボタン９００を押下する。そうすると、図９（ｂ）に画面が遷移し、ペースト先のフォルダが編集可能なフォルダであるので、ペースト確認画面９０１の中から、共有フォルダ／ｓｈａｒｅにペーストする場合、当該コピーファイル１ＭＢ−コピー．ｔｘｔに対するペースト条件を設定する。
【００５８】
具体的には、Ａグループ１０５の甲さんによって作成された個人フォルダ（マイフォルダ）１０１のマイフォルダ／ｐｅｒｓｏｎａｌに格納されていた１ＭＢ−コピー．ｔｘｔというファイルを、Ａグループ１０５の人々によって共有される共有フォルダ１０２の共有フォルダ／ｓｈａｒｅにペーストする際に、当該コピーファイル１ＭＢ−コピー．ｔｘｔに対するアクセス条件として、Ａグループ１０５に所属する他のユーザが編集可能であるとする条件９０２、又はＡグループ１０５に所属する他のユーザの編集は不可能であり、読み出しのみ可能であるとする条件９０３の何れかを選択することができるのである。
【００５９】
次に、ペースト先のフォルダが編集を禁止しているフォルダである場合について説明する。図１０は、本発明の実施形態におけるクラウドに接続され通信端末のクラウド上で管理することができる共有フォルダ内にマイフォルダ内のファイルをペーストするときの（ａ）ペースト対象のフォルダ及びペースト対象のファイルが選択された画面、（ｂ）ファイルをペーストする条件を選択する画面、（ｃ）ペースト先のフォルダが編集を禁止しているフォルダであるため上書きできない旨を報知する画面、について説明する図である。
【００６０】
図６において、１ＭＢ−コピー．ｔｘｔというファイルがコピーされた後、図１０（ａ）に示すように共有フォルダの中の任意のフォルダ（ここでは、共有フォルダ／ｓｈａｒｅ）に遷移し、画面下部のメニューの中からペーストボタン１０００を押下する。そうすると、図１０（ｂ）に画面が遷移し、ペースト先のフォルダが編集を禁止しているフォルダであるので、ペースト確認画面１００１の中から、当該コピーファイル１ＭＢ−コピー．ｔｘｔに対するアクセス条件として、Ａグループ１０５に所属する他のユーザが編集可能であるとする条件１００２、及びＡグループ１０５に所属する他のユーザの編集は不可能であり、読み出しのみ可能であるとする条件１００３の何れを選択しても、ペースト先のフォルダが編集を禁止しているので、図１０（ｃ）に画面が遷移し、当該フォルダが編集を禁止しているので上書きできない旨の表示１００４が表示される。
【００６１】
なお、上記実施形態においては、個人フォルダに格納された一部のファイルである１ＭＢ−コピー．ｔｘｔというファイルを共有フォルダにペーストする場合について説明しているが、個人フォルダに格納されているすべてのファイルを共有フォルダにペーストするようにしても良い。そして、共有フォルダにペーストする際、当該ペーストされたファイルの種類によってアクセス条件を異ならせるようにしても良い。
【００６２】
以上説明してきたように、本発明によれば、クラウドのストレージサーバに、ユーザのファイルを格納する個人フォルダに加え、特定の組織に所属する構成員のファイルを格納する共有フォルダを設けることにより、個人フォルダと共有フォルダとの間でファイルを柔軟に共有すると共に、様々な種類の通信端末間でこれらのファイルを共有することができる。
【００６３】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００６４】
１００    企業専用プライベートクラウド
１０１    個人フォルダ（マイフォルダ）
１０２    共有フォルダ（Ａグループ）
１０３    共有フォルダ（Ｂグループ）
１０４    ファイルサーバ連携フォルダ
１０５    Ａグループ
１０６    Ｂグループ
１０７    ファイルサーバ
１０８    パーソナルコンピュータ（ＰＣ）
１０９    タブレット端末
１１０    スマートフォン
１１１    データ
２００    管理コンソール表示画面
２０１    割当済ユーザ
２０２    未割当ユーザ
２０３    管理ユーザ指定
４００、４０１、４０２、４０３、４０４、４０５    フォルダ
４０６、５０１    フォルダパス
４０７、５０２    チェックボックス
４０８、５０３    ページ操作
４０９、５０４    チェックボックス操作
４１０、５０５    コピーボタン
４１１、５０６    戻るボタン
５０７    ファイル権限
５００    部署フォルダ
６００、７００    コピーメニュー
８００、８０２、９００、１０００    ペーストボタン
８０１、９０１、１００１    ペースト確認画面
【図１】
2013235335.tif 000003
【図２】
2013235335.tif 000004
【図３】
2013235335.tif 000005
【図４】
2013235335.tif 000006
【図５】
2013235335.tif 000007
【図６】
2013235335.tif 000008
【図７】
2013235335.tif 000009
【図８】
2013235335.tif 000010
【図９】
2013235335.tif 000011
【図１０】
2013235335.tif 000012